(57)【要約】【課題】仕切部の開通を表すためのマークの視認性に優れ、仕切部が開通していないことを直感的に認識することのできる医療用複室容器を提供する。【解決手段】医療用複室容器１は、可撓性シートで形成された容器本体２が、対向する可撓性シート同士によって剥離可能に接合された仕切部４と、この仕切部４によって区画された第１の薬液室３及び第２の薬液室５とを有するものであって、容器本体２の表面の仕切部４の表面の部分には、仕切部４の長手方向に延びる直線状のライン２５が付されているものである。【選択図】図１
2015173767.tif 000002
【特許請求の範囲】
【請求項１】
可撓性シートで形成された容器本体が、対向する前記可撓性シート同士によって剥離可能に接合された仕切部と、前記仕切部によって区画された複数の薬液室とを有する医療用複室容器であって、
前記医療用複室容器の表面の前記仕切部の表面の部分には、前記仕切部の長手方向に延びる直線状のラインが付されていることを特徴とする医療用複室容器。
【請求項２】
前記仕切部が剥離される際に、前記直線状のラインが曲線状のラインに変形することを特徴とする請求項１に記載の医療用複室容器。
【請求項３】
前記仕切部と少なくとも１つの前記薬液室とに及ぶように、前記容器本体に絵マークが付されており、前記直線状のラインは、前記絵マークの一部を構成することを特徴とする請求項１及び２に記載の医療用複室容器。
【請求項４】
前記絵マークが、顔を表す絵であり、
前記仕切部に付された前記直線状のラインが、前記顔のうちの口を構成するものであることを特徴とする請求項３に記載の医療用複室容器。
【請求項５】
前記仕切部が、折り筋を有していることを特徴とする請求項１から４のいずれかに記載の医療用複室容器。
【請求項６】
前記容器本体に絵マークが付されており、
前記仕切部が、対向する前記可撓性シート同士をさらに２つ折りに折り重ねた４層の積層部位を有し、前記積層部位が剥離可能に接合されており、
前記積層部位の最も内側に位置する２層の対向面に、前記絵マークの一部になるパーツが付されていることを特徴とする請求項１に記載の医療用複室容器。
【発明の詳細な説明】
【技術分野】
【０００１】
本発明は、可撓性シート同士を剥離可能に接合した仕切部によって複数の薬液室に区画されている医療用複室容器に関するものである。
【背景技術】
【０００２】
医療用複室容器は、例えば予め配合しておくと経時変化し易い２種の薬液を分離しておき用時に混合して患者に投与する腹膜透析や点滴のように、複数の薬液を混合して使用する医療に用いられている。医療用複室容器には、複数の薬液室に互いに異なる薬液が予め収容されている。医療用複室容器の使用を開始するときに、仕切部を剥離させて薬液室間を開通させ、複数の薬液を容器内で混合させる。混合した薬液は、医療用複室容器に設けられた薬液排出口から外部に排出され、透析や点滴に用いられる。
【０００３】
このような医療用複室容器では、仕切部の開通を忘れてしまい、薬液同士を混合することなく使用してしまう可能性がある。そのため、仕切部の開通忘れを防止する対策が取られている。
【０００４】
例えば特許文献１には、容器本体を透明フィルムで形成して、仕切部の開通前は薬液の液面よりも下方に位置すると共に開通後は薬液の液面よりも上方に位置する透明フィルムの領域にマークを印刷した医療用複室容器が記載されている。この医療用複室容器では、仕切部の開通前にはマークが視認し難く、開通後にはマークが視認し易くなる。このため、マークの表示の有無で開通の有無の確認が可能になる。
【先行技術文献】
【特許文献】
【０００５】
【特許文献１】特開２０１０−１１０３８５号公報
【発明の概要】
【発明が解決しようとする課題】
【０００６】
特許文献１に記載された医療用複室容器では、仕切部の開通前後で変化する液面の変化領域内にマークを付す必要があり、大きな形状のマークを表示することができないため、マークの視認性に限度がある。又、仕切部の開通前にはマークが表示されていないため、開通後にマークが表示されることを忘れていると、開通していないことを直感的に認識できない。そのため、開通せずにそのまま使用してしまうことも考えられる。
【０００７】
本発明は前記の課題を解決するためになされたもので、仕切部の開通を表すためのマークの視認性に優れ、仕切部が開通していないことを直感的に認識することのできる医療用複室容器を提供することを目的とする。
【課題を解決するための手段】
【０００８】
前記の目的を達成するためになされた本発明の医療用複室容器は、可撓性シートで形成された容器本体が、対向する前記可撓性シート同士によって剥離可能に接合された仕切部と、前記仕切部によって区画された複数の薬液室とを有する医療用複室容器であって、前記医療用複室容器の表面の前記仕切部の表面の部分には、前記仕切部の長手方向に延びる直線状のラインが付されていることを特徴とする。
【０００９】
仕切部が剥離される際に、前記直線状のラインが曲線状のラインに変形することが好ましい。
【００１０】
仕切部と少なくとも１つの前記薬液室とに及ぶように、前記容器本体に絵マークが付されており、前記直線状のラインは、前記絵マークの一部を構成することが好ましい。
【００１１】
絵マークが、顔を表す絵であり、前記仕切部に付された前記直線状のラインが、前記顔のうちの口を構成するものであることが好ましい。
【００１２】
仕切部が、折り筋を有していることが好ましい。
【００１３】
容器本体に絵マークが付されており、前記仕切部が、対向する前記可撓性シート同士をさらに２つ折りに折り重ねた４層の積層部位を有し、前記積層部位が剥離可能に接合されており、前記積層部位の最も内側に位置する２層の対向面に、前記絵マークの一部になるパーツが付されていることが好ましい。
【発明の効果】
【００１４】
本発明の医療用複室容器によれば、仕切部の表面に、仕切部の長手方向に延びる直線状のラインが付されていることにより、直線状のラインは視認性に優れ目立つため、開通前の直線状のラインを視認することで仕切部が開通していないことを直感的に認識することができる。そのため、仕切部の開通忘れを防止することができる。
【図面の簡単な説明】
【００１５】
【図１】本発明を適用する医療用複室容器の正面図である。
【図２】本発明を適用する医療用複室容器の縦切断端面図である。
【図３】本発明を適用する医療用複室容器の使用状態を示す正面図である。
【図４】本発明を適用する医療用複室容器の使用状態を示す縦切断端面図である。
【図５】本発明を適用する医療用複室容器の使用状態を示す仕切部の位置の横切断端面図である。
【図６】本発明を適用する別な医療用複室容器の仕切部の位置の横切断端面図である。
【図７】本発明を適用する別な医療用複室容器の使用状態を示す仕切部の位置の横切断端面図である。
【図８】本発明を適用する別な医療用複室容器の使用状態を示す正面図である。
【図９】本発明を適用するさらに別な医療用複室容器の正面図である。
【図１０】本発明を適用するさらに別な医療用複室容器の縦切断端面図である。
【図１１】本発明を適用するさらに別な医療用複室容器の使用状態を示す縦切断端面図である。
【図１２】本発明を適用するさらに別な医療用複室容器の使用状態を示す正面図である。
【発明を実施するための形態】
【００１６】
以下、本発明を実施するための形態を詳細に説明するが、本発明の範囲はこれらの形態に限定されるものではない。
【００１７】
図１に、本発明を適用する医療用複室容器１の一形態の正面図を示す。医療用複室容器１は、一例として、２液を混合して使用する腹膜透析液を収容するものである。医療用複室容器１は、第１の薬液室３、仕切部４、第２の薬液室５、第１の端部６、及び第２の端部７を有する容器本体２を備えている。又、医療用複室容器１は、第１の薬液室３に収容された第１の薬液１７、第２の薬液室５に収容された第２の薬液１８、及び、容器本体２から混合薬液を排出するための薬液排出部材８を備えている。
【００１８】
腹膜透析液の場合、一例として、第１の薬液１７はブドウ糖などの浸透圧物質を主成分とし低浸透圧比のもので、第２の薬液１８は塩化ナトリウムと乳酸ナトリウムを主成分とし高浸透圧比のものである。この場合、第１の薬液１７の方が第２の薬液１８よりも量が多いので、第１の薬液室３の方が第２の薬液室５よりも形状が大きく形成されている。このため、仕切部４は、略長方形状の容器本体２の中央部よりも第２の薬液室５側（図の下側）に位置して形成されている。
【００１９】
第１の薬液室３側の第１の端部６には、薬液排出部材８及び薬液注入口になる薬液注入部材１３が設けられている。薬液注入部材１３は、シリンジの針を穿刺可能なゴム状の栓で封止されている。第１の端部６には、容器吊下用の孔１４が形成されている。第２の端部７には、容器吊下用の孔１５が形成されている。尚、これらは腹膜透析液用の公知の医療用複室容器と同様のものであるため、詳細な説明を省略する。
【００２０】
同図に示すように、医療用複室容器１は、仕切部４と、少なくとも第１の薬液室３とに及ぶように、外部から視認可能に、容器本体２の表面に絵マーク２１が付されて表示されている。同図に示すように、絵マーク２１が、仕切部４、第１の薬液室３、及び第２の薬液室５の全てに及ぶように容器本体２に付されていてもよい。絵マーク２１は、絵で構成されたマーク（印、記号、絵記号）である。同図には、絵マーク２１が顔を模式的に表す絵である例を示している。絵マーク２１は、顔の絵を構成するパーツ（絵の構成部品）として、顔の輪郭２２、一対の目２３、及び口２４を有している。
【００２１】
顔の輪郭２２は、一例として、略長方形の枠線で構成されている。顔の輪郭２２は、第１の薬液室３、仕切部４、及び第２の薬液室５に及んで付されている。顔の輪郭２２で囲まれた領域内に、一対の目２３、及び口２４が配置されている。目２３は、一例として、塗りつぶした楕円形状で構成されている。一対の目２３は、第１の薬液室３に付されている。口２４は、直線状のライン２５を含んで構成されている。口２４は、容器本体２の表面の仕切部４の表面の部分に付されている。直線状のライン２５は、仕切部４の長手方向に沿って延びている。つまり、直線状のライン２５は、容器本体２を横断する方向に沿って配置されている。直線状のライン２５の太さは、任意の太さで形成することができる。同図に示すように、口２４が、直線状のライン２５の両端に、短い長さの斜め線状のライン２６，２６を有して構成されていてもよい。斜め線状のライン２６，２６は、互いの距離が目２３側で近くなるように、直線状のライン２５に対して斜めに傾けられて配置されている。斜め線状のライン２６として、円弧状に曲がった線（円弧状線）又は直線状の線を用いる。
【００２２】
仕切部４に、絵マーク２１と共にマーク２９が付されていてもよい。マーク２９は、図形、文字、記号である。マーク２９が絵マークであってもよい。同図では、マーク２９として、直線状のラインが付された例を示している。マーク２９は、直線状のライン２５の延長線上に、ライン２５から間隔を開けて付されている。マーク（直線状のライン）２９、直線状のライン２５、マーク（直線状のライン）２９のように間隔を開けて直線上に並んで配置されていることで、仕切部４に破線が表示されているように見える。このため、仕切部４の位置を一層目立たせることができる。同図では、マーク２９を２つ付した例を示しているが、２以上の複数のマーク２９を付してもよい。
【００２３】
図２に、図１中のＡ−Ａ線における医療用複室容器１の縦切断端面図を示す。容器本体２は、熱可塑性樹脂製の可撓性シート３１によって形成されている。この例では、可撓性シート３１を丸めて得られる筒状体を平らに潰すようにして用いることで、可撓性シート３１ａ，３１ｂ同士が対向している。尚、２枚の別個の可撓性シート３１ａ，３１ｂを重ね合わせて対向させたり、１枚の平坦な可撓性シートを２つに折り重ねたりすることで、可撓性シート３１ａ，３１ｂ同士が対向する容器本体２を形成してもよい。この場合、可撓性シート３１ａ，３１ｂの側部を剥離不能に接合して閉じればよい。
【００２４】
可撓性シート３１の材料には、公知の医療用の材料を用いることができる。例えば可撓性シート３１の材料として、ポリオレフィン樹脂、ポリアミド樹脂、ポリエステル樹脂、（メタ）アクリル樹脂、塩化ビニル樹脂のような熱可塑性樹脂が挙げられる。透明な可撓性シート３１を用いることが、第１の薬液１７及び第２の薬液１８の視認性の観点から好ましい。
【００２５】
仕切部４は、対向する可撓性シート３１ａ，３１ｂ同士を剥離可能に接合して形成されている。仕切部４は、公知の医療用複室容器と同様に接合することで形成できる。例えば、可撓性シート３１ａ，３１ｂ同士を剥離可能に弱く溶着（弱シール）することで仕切部４を形成する。溶着は、融着とも言われている。溶着には、熱溶着、超音波溶着、誘導溶着などの公知の方法を用いることができる。可撓性シート３１ａ，３１ｂ同士を接着剤又は接着シートによって剥離可能に接着することで、仕切部４を形成してもよい。
【００２６】
仕切部４によって容器本体２が区画され、容器本体２に第１の薬液室３及び第２の薬液室５が形成されている。仕切部４の可撓性シート３１ａ，３１ｂは平坦に形成されている。
【００２７】
第１の端部６は、対向する可撓性シート３１ａ，３１ｂ同士を剥離不能に接合して形成されている。同様に、第２の端部７は、対向する可撓性シート３１ａ，３１ｂ同士を剥離不能に接合して形成されている。接合は、例えば強シールのような公知の溶着方法により行うことができる。溶着には、熱溶着、超音波溶着、誘導溶着などの公知の方法を用いることができる。第１の端部６により、第１の薬液１７を収容する第１の薬液室３が液密に閉じられている。第１の端部６には、薬液排出部材８及び薬液注入部材１３（図１参照）が、対向する可撓性シート３１ａ，３１ｂの間に挟まれて接合されることで、設けられている。
【００２８】
絵マーク２１（図１参照）は、図２中の可撓性シート３１ａの領域Ｂに付されている。絵マーク２１は、容器本体２を製造する前の平坦な状態の可撓性シート３１ａに、インキを印刷して付して形成することが好ましい。可撓性シート３１ａには、図示しないが、製品名や内容量、使用上の注意等を示す文字やマークが印刷されるため、製品名等と共に印刷することで、絵マーク２１を可撓性シート３１ａに簡便に付すことができる。尚、図示しないが、絵マーク２１をシール状のフィルムに印刷し、このフィルムを平坦な状態の可撓性シート３１ａに密着して貼り付けて付してもよい。
【００２９】
次に、医療用複室容器１の使用方法について説明する。
【００３０】
図１、図２に示すように、使用前の状態の医療用複室容器１は、仕切部４が平坦に形成されている。このため、図１に示すように、口２４を構成する直線状のライン２５が、真っ直ぐになっている。口２４の形状によって顔の絵の感情を表現することができる。この絵マーク２１は、口２４が真っ直ぐの状態であるので、特別な感情を表現しておらず、通常（平常）の顔である。このように通常の顔で絵マーク２１が表示されているときは、仕切部４が未開通であることを表している。使用者は、通常の顔の絵マーク２１を視認することで、絵マーク２１が付されていることの意味を思い出し、仕切部４が開通していないことを直感的に理解することができる。そのため、仕切部４の開通忘れを確実に防止することができる。
【００３１】
絵マーク２１は、仕切部４及び少なくとも第１の薬液室３に及ぶ形状であるため、比較的大きな形状で形成できる。そのため、絵マーク２１は、視認性に優れたものになっている。操作者は、絵マーク２１を見逃すことなく確実に視認して、仕切部４の開通忘れを防止することができる。
【００３２】
図３に示すように、操作者は、使用を開始する直前に、医療用複室容器１の第１の薬液室３側を手９１で強くつかみ第１の薬液１７（図２参照）を仕切部４側へ押し出すように圧力をかけて押し潰す。この状態における医療用複室容器１の縦切断端面図（図１のＡ−Ａ線に対応）を図４に示し、仕切部４の位置における横切断端面図を図５に示す。
【００３３】
操作者が第１の薬液室３側を押し潰すことで、図４に示すように、仕切部４の可撓性シート３１ａ，３１ｂが剥離して開通する。このため、第１の薬液室３と第２の薬液室５とが１つに繋がり、第１の薬液１７及び第２の薬液１８が混合して混合薬液１９になる。剥離した仕切部４の位置は、医療用複室容器１の内部に混合薬液１９が満たされる部分に位置する。絵マーク２１は領域Ｂの位置に付されている。
【００３４】
仕切部４の可撓性シート３１ａ，３１ｂの間が混合薬液１９で満たされるため、図５に示すように、仕切部４の横切断端面が略楕円形状の曲面になる。同図中に示す可撓性シート３１ａの領域Ｃに口２４が付されている。
【００３５】
このため、図３に示すように、口２４の直線状のライン２５が曲線状のラインに変形し、絵マーク２１が笑顔に変わる。操作者は、絵マーク２１が笑顔に変化したことで、仕切部４が開通したことを、直ちに直感的に理解できる。直線状のライン２５の両端に短い斜め線状のライン２６が付されていると、口角が上がったように強調されて見えるため、笑顔をより強調することができる。
【００３６】
絵マーク２１は、開封時に手９１によって隠されないように、内部に混合薬液１９が満たされる範囲内の第１の薬液室３に付されていることが好ましい。
【００３７】
腹膜透析では、通常、患者自身が医療用複室容器１の操作者になる。患者自身が、１日当たり数個の医療用複室容器１を開通させて使用する。このように腹膜透析を患者自身が行う場合には、医療用複室容器１の仕切部４を開通させる作業について、医師等が患者に対して最初に説明を行い、充分に理解させ覚えさせる必要がある。仕切部４を開通させる作業内容の説明を、通常の顔の絵マーク２１を笑顔に変化させる作業であるというように顔の絵マーク２１に関連付けて説明することで、作業内容に映像的（ビジュアル的、イメージ的、絵的）な要素を入れることができると共に、顔を変化させるという遊び的な要素を入れることができる。このような映像的かつ遊び的な要素を含む作業の説明は、単に言葉だけの説明よりも、遥かに理解し易く、覚え易く、忘れ難い。特に、患者が老人や子供である場合、映像的な要素や遊び的な要素を説明に入れることは、理解のし易さ、覚え易さ、忘れ難さの観点から重要であり、効果的である。このため、開通作業を行う患者自身が作業内容を忘れないため、仕切部４の開通忘れを効果的に防止することができる。又、顔の絵マーク２１に関連付けたほうが、医師等も説明を行い易い。
【００３８】
実際に患者自身が作業するときも、顔の絵マーク２１を変化させるという遊び的な要素があるため、患者に楽しい感情を想起させる。ヒトの特性として、楽しい感情を想起させるようにする作業は、つまらない作業よりも忘れ難くなる。患者は通常の顔の絵マーク２１（図１参照）を見たときに、絵マーク２１を変化させるという遊びの要素を含む作業を直感的に直ちに想起するため、仕切部４の開通忘れを防止することができる。
【００３９】
仕切部４の開通後の絵マーク２１は、笑顔のように楽しい感情を想起させる絵であることが好ましい。例えば「困り顔」「怒り顔」「恐怖顔」に絵マーク２１が変化する場合、患者に負の感情を想起させてしまう。ヒトの特性として、負の感情を想起させる作業は無意識のうちに避けたいと感じる。そのため、患者が無意識的に仕切部４の開通作業を避けないように、開通後の絵マーク２１には、楽しい感情を想起させる絵を使用する。開通前の絵マーク２１は、格別感情を表現しない通常の顔であることが好ましい。
【００４０】
患者は、笑顔になった顔マーク２１の医療用複室容器１を使用して、腹膜透析を行う。腹膜透析時には、図３に示す状態から医療用複室容器１の天地を逆にして、吊下用のフック（図示せず）に孔１５を吊り掛けて使用する。したがって、透析時に絵マーク２１の天地は逆になる。つまり、絵マーク２１は、腹膜透析を行うときの向きに合わせるのではなく、仕切部４を開通するときに視認される向きに合わせて容器本体２に形成する。
【００４１】
本発明の医療用複室容器１は、仕切部４の開通の前後で、仕切部４に付された絵マーク２１の一部のパーツ（絵の構成部品）の形状が変化して見えることで、絵マーク２１の印象や形態が全体的に変化して見えることに特徴がある。そのため、仕切部４の開通で形状変化し易いパーツが仕切部４に付されていることが好ましい。仕切部４は平坦な状態から曲面に変わる。直線状のライン２５は、平坦な状態では直線に見え、曲面の状態では曲線に見えるので、仕切部４に好ましく付すことができる。直線状のライン２５は、仕切部４が大きく形状変化する方向である仕切部４の長手方向と同じ方向に沿って付されていることが好ましい。直線状のライン２５は、長いほど曲線になったことが強調されるため、可及的に長く形成されていることが好ましい。直線状のライン２５は、例えば長方形状のような他の形状の一部であってもよい。尚、仕切部４に付すパーツの形状は、直線状のライン２５に限定されず、デザインの必要性に応じ、円弧状の線、波線、鋸歯状の線など他の形状を用いてもよい。
【００４２】
仕切部４に付された顔のパーツ（口２４）を目立たせるために、仕切部４に付すパーツの色を、他の部位に付す顔のパーツ（顔の輪郭２２、目２３）の色とは異なる色を用いることが好ましい。例えば、口２４を赤色等の明るい色で形成し、顔の輪郭２２及び目２３を黒色や青色等の暗い色で形成することが好ましい。口２４と、顔の輪郭２２及び目２３とを、互いに補色の関係の色で形成してもよい。
【００４３】
絵マーク２１が顔であることが判る絵であれば、顔の輪郭２２、目２３、及び口２４の形状、色等は適宜変更したり、一部のパーツを省略したりしてもよい。又、絵マーク２１が、髪を示すパーツ（例えば波型状のラインや曲線状のライン）、耳を示すパーツなどの他の顔のパーツを有して構成されていてもよい。
【００４４】
絵マーク２１は、顔のように意味のある絵にした方が、操作者の注意を引き易くなるため好ましい。絵マーク２１が、動物、風景などの絵、図形（例えば、三角形、四角形、星型、多角形）の組み合わせの絵など、任意の絵であってもよい。絵マーク２１が文字を含んでいてもよい。又、絵マーク２１として、容器本体２のうちの仕切部４だけに、仕切部４の長手方向に延びる直線状のライン２５のみを付してもよい。
【００４５】
絵マーク２１は、容器本体２の片面（可撓性シート３１ａ）だけに付されていてもよく、容器本体２の両面（可撓性シート３１ａ，３１ｂ）に付されていてもよい。
【００４６】
又、容器本体２に複数の仕切部４が形成されている場合、各々の仕切部４に対応させるように容器本体２に複数の絵マーク２１が付されていてもよい。例えば、長方形状の容器本体２を長手方向に３つに区画する２つの仕切部４が形成されている場合、２つの仕切部４に対応させて容器本体２に２つの絵マーク２１が付されていてもよい。
【００４７】
次に、本発明を適用する別の医療用複室容器１ａについて説明する。この医療用複室容器１ａは、既に説明した医療用複室容器１の仕切部４に折り筋３５を形成したものである。尚、既に説明した構成と同様の構成については同じ符号を付して、詳細な説明を省略する。
【００４８】
図６に、医療用複室容器１ａの仕切部４ａの位置の横切断端面図を示す。同図は、筒状体に形成された可撓性シール３１ａ，３１ｂが平らに押し潰され、対向する可撓性シール３１ａ，３１ｂが剥離可能に接合されていることで、仕切部４ａが形成されている状態を示している。仕切部４ａの領域Ｄに、絵マーク２１の口２４（直線状のライン２５）が付されている。この医療用複室容器１ａでは、仕切部４ａの中央部、すなわち口２４の中央部に、折り筋３５が付けられている。この折り筋３５は、絵マーク２１の付された側の可撓性シール３１ａが山折りになる向きで形成されている。
【００４９】
図示しないが、折り筋３５があっても仕切部４ａはほぼ平面的であるので、顔の絵マーク２１は図１とほぼ同様に見え、通常の顔に見える。
【００５０】
折り筋３５は、可撓性シール３１ａ，３１ｂを剥離可能に接合するときに、可撓性シール３１ａ，３１ｂを山形の型に押し付けながら行うことで形成できる。
【００５１】
図７に、仕切部４ａが剥離した状態の医療用複室容器１ａの横切断端面図を示す。同図に示すように、仕切部４ａが開通することで、仕切部４ａの内部は混合薬液１９で満たされる。このため、絵マーク２１の口２４（直線状のライン２５）の付された領域Ｄが、曲面になる。さらに、可撓性シート３１ａには折り筋３５が形成されているため、口２４の中央部が外界側に山折りに突き出している。
【００５２】
図８に、医療用複室容器１ａの使用状態の正面図を示す。同図に示すように、操作者は容器本体２ａの第１の薬液室３側を手９１で押し潰ことで、仕切部４ａが剥離する。絵マーク２１の口２４になっている直線状のライン２５は、折り筋３５があるため、中央部が外界側に突き出している。このため、同図に示すように、直線状のライン２５の曲がりが強調されて見え、笑顔が一層強調されて見える。したがって、仕切部４ａの開通の前後で、顔の表情の変化の度合いを大きくすることができる。顔の表情の変化の度合いが大きいと、操作者の記憶に残り易くなるので、仕切部４ａの開通忘れを一層防止することができる。尚、折り筋３５自体は、非着色であるので目立たず、顔の表情に影響しない。
【００５３】
仕切部４ａの中央部に１つの折り筋３５を形成した例について説明したが、折り筋３５を複数形成してもよい。折り筋３５を形成する数や位置は適宜変えることができる。折り筋３５を口２４側に山折りに形成した例を説明したが、必要性に応じて、谷折りに形成してもよい。又、複数の折り筋３５を形成するときに、例えば山折り、谷折り、山折りのように交互に形成するように、山折りと谷折りとを適宜組み合わせて形成してもよい。折り筋３５は直線状のライン２５と直角に交差する方向に形成することが好ましいが、直線状のライン２５に対し、斜めに交差する方向に形成してもよい。
【００５４】
次に、本発明を適用する別の医療用複室容器１ｂについて説明する。
【００５５】
図９に、医療用複室容器１ｂの正面図を示す。この医療用複室容器１ｂは、仕切部４ｂを有する容器本体２ｂを備えている。
【００５６】
容器本体２ｂには、顔の絵マーク２１ｂ１が付されている。絵マーク２１ｂ１は、顔の輪郭２２、一対の目２３、及び口２４ｂ１を有している。仕切部４ｂには、口２４ｂ１になる直線状のライン２５が視認可能に付されている。
【００５７】
図１０に、図９中のＥ−Ｅ線における医療用複室容器１ｂの縦切断端面図を示す。容器本体２ｂは、対向する可撓性シート３１ａ，３１ｂが剥離可能に接合された仕切部４ｂを有し、この仕切部４ｂによって第１の薬液室３と第２の薬液室５とに区画されている。
【００５８】
仕切部４は、対向する可撓性シート３１ａ，３１ｂ同士をさらに２つ折りに折り重ねた４層の積層部位３７を有し、この積層部位３７が剥離可能に接合されている。仕切部４ｂは、可撓性シート３１ａ側に４層の積層部位３７が突出せず、可撓性シート３１ｂ側に４層の積層部位３７が突出するように、可撓性シート３１ａ，３１ｂが曲げられている。積層部位３７は、４層の積層部位３７を例えば熱で弱シールすることで接合されている。
【００５９】
同図中に示す領域Ｆ１に顔の絵マーク２１ｂ１が付されて表示されている。仕切部４ｂの４層の積層部位３７のうちの内側に位置する２層（可撓性シート３１ａ）の対向面３８に、絵マーク２１ｂ２（図１２参照）の一部になる円弧状のライン２７（図１２参照）が予め付されている。円弧状のライン２７と共に絵マーク２１ｂ１（つまり絵マーク２１ｂ２）は、仕切部４ｂを形成する前の平坦な状態の可撓性シート３１ａに、インキを印刷することで形成されている。
【００６０】
図１１に、仕切部４ｂを開通させた状態の医療用複室容器１ｂの縦切断端面図を示す。折り曲げられていた仕切部４ｂの４層の積層部位３７（図１０参照）が剥離して開かれる。これにより、仕切部４ｂを形成していた可撓性シート３１ａ，３１ｂの間が、混合薬液１９で満たされる。同図中に示す可撓性シート３１ａの領域Ｆ２に顔の絵マーク２１ｂ２（図１２参照）が表示される
【００６１】
図１２に、仕切部４ｂが開通した状態の医療用複室容器１ｂの正面図を示す。操作者が容器本体２ｂの第１の薬液室３を手９１で押し潰すことで、仕切部４ｂが剥離して開通する。
【００６２】
仕切部４ｂの剥離により、仕切部４ｂに隠れていた円弧状のライン２７が視認可能に容器本体２ｂに現れて、口２４ｂ２が表示される。口２４ｂ２は、口２４ｂ１（図９参照）で表示されていた直線状のライン２５の下に円弧状のライン２７が足された形状である。このため、絵マーク２１ｂ２として、口２４ｂ２を大きく開いて笑う笑顔が表示される。直線状のライン２５も曲がって表示されるため、笑顔がより強調される。
【００６３】
このように、医療用複室容器１ｂでは、口を閉じている通常の顔の絵マーク２１ｂ１が口を開けて笑う笑顔の絵マーク２１ｂ２に大きく変化する。したがって、操作者は顔の変化を一層認識し易く、形状変化が記憶に残りやすいので、仕切部４ｂの開通忘れを一層防止することができる。
【００６４】
なお、変化前の絵マーク２１ｂ１の形状、変化後の絵マーク２１ｂ２の形状、及び積層部位３７の対向面３８に付すパーツの形状は、任意である。円弧状のライン２７に換えて、例えば赤色で半月状に着色されているパーツを用いてもよい。この場合、笑顔の口２４ｂ２が赤色に着色されて表示されるようになる。積層部位３７の対向面３８に絵のパーツと共に文字を付してもよい。
【産業上の利用可能性】
【００６５】
本発明の医療用複室容器は、腹膜透析液の他に、複数の薬液を混合して体内に注入する点滴などの薬液の収容容器として用いることができる。
【符号の説明】
【００６６】
１，１ａ，１ｂ：医療用複室容器、２，２ａ，２ｂ：容器本体、３：第１の薬液室、４，４ａ，４ｂ：仕切部、５：第２の薬液室、６：第１の端部、７：第２の端部、８：薬液排出部材、１３：薬液注入部材、１４：孔、１５：孔、１７：第１の薬液、１８：第２の薬液、１９：混合薬液、２１，２１ｂ１，２１ｂ２：絵マーク、２２：顔の輪郭、２３：目、２４，２４ｂ１，２４ｂ２：口、２５：直線状のライン、２６：斜め線状のライン、２７：円弧状のライン、２９：マーク、３１，３１ａ，３１ｂ：可撓性シート、３５：折り筋、３７：積層部位、３８：対向面、９１：手、Ａ，Ｅ：切断端面図の切断位置を示す線、Ｂ，Ｃ，Ｄ，Ｆ１，Ｆ２：領域
【図１】
2015173767.tif 000003
【図２】
2015173767.tif 000004
【図３】
2015173767.tif 000005
【図４】
2015173767.tif 000006
【図５】
2015173767.tif 000007
【図６】
2015173767.tif 000008
【図７】
2015173767.tif 000009
【図８】
2015173767.tif 000010
【図９】
2015173767.tif 000011
【図１０】
2015173767.tif 000012
【図１１】
2015173767.tif 000013
【図１２】
2015173767.tif 000014